(57)【要約】【課題】  斑点模様の筆記線(筆跡)や塗膜を形成することができ、筆記具、化粧塗布具等に用いられるインキ、描画材、化粧料などの色材組成物を提供する。【解決手段】  色材組成物の流出路を備えた塗布具に用いられる色材組成物であって、前記色材組成物に、弾性変形可能な寒天からなる下記ゲル粒子が分散状態で含まれており、  前記色材組成物全量に対して、  ａ）直径５０〜１０００μｍの寒天からなる粒子              １〜５０重量％  ｂ）アクリル系又はスチレンアクリル系合成樹脂エマルション（固形分）                                                              ３０〜７０重量％  ｃ）多糖類                                              ０．０５〜０．５重量％を含有する。【選択図】  なし【特許請求の範囲】
【請求項１】
色材組成物の流出路を備えた塗布具に用いられる色材組成物であって、
上記色材組成物に、弾性変形可能な粒子が分散状態で含まれている色材組成物。
【請求項２】
色材組成物の流出路を備えた塗布具に用いられる色材組成物であって、
上記色材組成物に、５０μｍ〜１０００μｍの範囲内の粒子であって、前記流出路における最小の間隙より大きな寸法の直径を有する弾性変形可能な粒子が分散状態で含まれている請求項１記載の色材組成物。
【請求項３】
前記粒子がゲル粒子である請求項１又は２記載の色材組成物。
【請求項４】
前記粒子が、寒天からなる請求項１乃至３のいずれかの項に記載の色材組成物。
【請求項５】
前記粒子が着色された粒子であって、複数色の粒子が含有されている請求項１乃至４のいずれかの項に記載の色材組成物。
【請求項６】
前記粒子が、色材組成物全量に対して０．１〜５０重量％含有する請求項１乃至４のいずれかの項に記載の色材組成物。
【請求項７】
さらに、バインダー成分として、水溶性樹脂及び又は合成樹脂エマルションを含有する請求項１乃至６のいずれかの項に記載の色材組成物。
【請求項８】
さらに、粘度調整剤を含有する請求項１乃至７のいずれかの項に記載の色材組成物。
【請求項９】
さらに、下地材として着色剤を含有する請求項１乃至８のいずれかの項に記載の色材組成物。
【請求項１０】
前記着色剤が金属粉顔料、蛍光顔料、パール顔料及び光輝性顔料の群から選ばれる少なくとも１種の光輝顔料である請求項９記載の色材組成物。
【請求項１１】
色材組成物全量に対して、
ａ）直径５０〜１０００μｍの寒天からなる粒子              １〜５０重量％
ｂ）アクリル系又はスチレンアクリル系合成樹脂エマルション（固形分）
３０〜７０重量％
ｃ）多糖類                                              ０．０５〜０．５重量％
を含有する色材組成物。
【請求項１２】
前記色材組成物が、水性インキ組成物である請求項１〜１１のいずれかの項に記載の色材組成物。
【請求項１３】
前記色材組成物が、描画材組成物である請求項１〜１１のいずれかの項に記載の色材組成物。
【請求項１４】
前記色材組成物が、化粧料組成物である請求項１〜１１のいずれかの項に記載の色材組成物。
【請求項１５】
色材組成物の流出路を備えた塗布具であって、
上記色材組成物に、５０μｍ〜１０００μｍの範囲であって、前記流出路における最小の間隙より大きな寸法の直径を有する弾性変形可能な粒子が分散状態で含まれている塗布具。
【請求項１６】
インキ流出の制御手段を有するインキの流出路を備えたペン先と、インキが収容されたインキ筒を備えた筆記具であって、
前記インキには、弾性変形可能な粒子が分散状態で含まれており、
前記粒子には、上記ペン先のインキの流出路のうち、その最小の間隙の寸法と同一寸法以上の直径を有する粒子が含まれている筆記具。
【請求項１７】
前記インキ流出の制御手段が、弁構造を構成するピン状物である請求項１３記載の筆記具。
【請求項１８】
化粧料組成物が充填され、先端部に化粧料組成物の流出路を構成する流出孔を備えたチューブ状容器で構成された化粧塗布具であって、
前記化粧料組成物には、弾性変形可能な直径５０〜１０００μｍの範囲内の粒子が分散状態で含まれており、
前記粒子には、上記流出路の最小の間隙の寸法と同一寸法以上の直径を有する粒子が含まれている化粧塗布具。
【発明の詳細な説明】
【技術分野】
【０００１】
本発明は、斑点模様の筆記線(筆跡)や描画線或は化粧塗膜などを形成することができる色材組成物に関するものである。
【背景技術】
【０００２】
従来、大きさ８０〜２００μｍ、厚さ５μｍ以下の扁平樹脂顔料と、水溶性染料を用いて、一つの描線中に複数色の色相が発色可能となるボールペン用水性インキ組成物が提案されている（特許文献１）。
【０００３】
【特許文献１】特開２００３−３１０６号公報
【０００４】
一方、水性媒体中に分散した着色骨材として大きさ１〜４mm、厚さ０．１〜０．２mmの鱗片状ゲル着色粒子および有色または着色された球状微細粒子の組合せを使用した水性多彩被覆組成物が提供されている(特許文献２)。
【０００５】
【特許文献２】特開平７−２４７４５０号公報
【０００６】
しかし、特許文献１は斑点模様の筆記線(筆跡)を形成するインキ組成物ではない。特許文献２は鱗片状ゲル着色粒子を用いて、色調の異なった多彩模様を形成する技術を開示しているが、斑点模様の筆記線(筆跡)を形成することができ、かつ筆記具、特にボールペンに適用できる色材組成物ではない。
また、明瞭な斑点模様の化粧塗膜を形成する色材組成物及びその色材組成物が含まれる化粧塗布具は、化粧料分野のおいてもいまだ提供されていない。
【発明の開示】
【発明が解決しようとする課題】
【０００７】
本発明の課題は、斑点模様の筆記線(筆跡)や塗膜を形成することができ、筆記具、化粧塗布具等に用いられるインキ、描画材、化粧料などの色材組成物を提供するところにある。
【課題を解決するための手段】
【０００８】
本発明は、色材組成物の流出路を備えた塗布具に用いられる色材組成物であって、
上記色材組成物に、弾性変形可能な粒子が分散状態で含まれている色材組成物である。
【０００９】
弾性変形可能な粒子として、例えばゲル粒子が好ましく、特に寒天からなる粒子が好ましい。なお、また弾性変形可能な粒子としては、５０μｍ〜１０００μｍの範囲内の粒子であって、前記流出路における最小の間隙より大きな寸法の直径を有する粒子が好ましいが限定されない。
【００１０】
また、前記粒子が着色された粒子であって、複数色の粒子が含有されているインキ組成物が好ましい。
【００１１】
なお、本発明で「弾性変形可能な」とは、前記流出路における最小の間隙より大きな寸法の直径を有する粒子が、前記流出路を通過する際に当該間隙部分で弾性変形しながら当該間隙を流出可能であることをいう。たとえば、該組成物の流出を制御するボールやピン等の制御手段を有する筆記具や化粧塗布具などを例にとれば、この制御手段を装填するペン先等の壁面との間で構成される前記最小の間隙と同じか又はそれより大きな寸法の直径を有する粒子が当該間隙を通過する際に当該間隙部分で変形しながら当該間隙を流出可能であることを意味している。また例えば、色材組成物の流出口(流出路)を有するチューブ状の容器からなり、押し出して色材組成物を絞りだす筆記具や化粧塗布具などであれば、前記流出口（流出路）の中で最小の間隙と同じか又はそれより大きな寸法の直径を有する粒子が当該間隙（隙間）を通過する際に当該間隙部分で変形しながら当該間隙を流出可能であることを意味している。
【発明の効果】
【００１２】
本発明によれば、前記間隙より大きな寸法の直径を有する粒子であっても、前記流出路を通過することができることから、明瞭に視認できる大きさで斑点模様の筆記線(筆跡)を形成することができる。
従って、例えば、ペン先と、インキが収容されたインキ筒を備えた筆記具であって、直径５０〜１０００μｍの範囲内の弾性変形可能な粒子が分散状態で含有された色材が上記インキ筒に収容された筆記具を採用することができる。
例えば、インキ筒にこのインキを収容してボールの回転により当該インキが流出するボールペンであって、当該ボールとボールペンチップの壁面とで構成される隙間が狭くても、前記粒子は当該部分で弾性変形し、インキの流れを止めることなく、インキの流れとともに流出するため、斑点模様を形成可能な大きさの当該隙間以上の寸法の直径を持つ粒子をインキ組成物中に含ませることが可能である。
【００１３】
また、例えば、弾発力が付与されたボール等の弁体と、この弁体を押圧して押圧された弁体とチップの壁面とで構成される隙間（インキ流路）が狭くても、前記粒子は当該部分で弾性変形し、インキの流れを止めることなく、インキの流れとともに流出するため、斑点模様を形成可能な大きさの当該隙間以上の寸法の直径を持つ粒子をインキ組成物中に含ませることが可能である。
【００１４】
また上記ボールペンに限定されず、本発明は、インキ流出の制御手段を有するインキの流出路を備えたペン先と、インキが収容されたインキ筒を備えた筆記具であって、
前記インキには、弾性変形可能な粒子が分散状態で含まれており、
前記粒子には、上記ペン先のインキの流出路のうち、その最小の間隙の寸法と同一寸法以上の直径を有する粒子が含まれている筆記具を採用することもできる。例えば、前記インキ流出の制御手段として弁構造を構成するピン状物を備えた筆記具である。
【００１５】
また、本発明であれば、たとえば、化粧料組成物が充填され、先端部に化粧料組成物の流出路を構成する流出孔を備えたチューブ状容器で構成された化粧塗布具であって、
前記化粧料組成物には、弾性変形可能な直径５０〜１０００μｍの範囲内の粒子が分散状態で含まれており、
前記粒子には、上記流出孔の孔径と同一寸法以上の直径を有する粒子が含まれている化粧塗布具に対しても適用することができる。
【発明を実施するための最良の形態】
【００１６】
＜弾性変形可能な粒子＞
本発明で用いる粒子は、弾性変形可能な粒子であれば特に限定されない。具体的には、弾性変形可能な粒子で、例えば、寒天、カラギーナン、ジェラン、アルギン酸カルシウム、アルギン酸ソーダ、ゼラチン、アルブミン、カゼイン、ポリビニルアルコール、アセチル化ポリビニルアルコールなどの粒子（ゲル粒子）を挙げることができる。中でも、寒天、ゼラチンの粒子が好ましい。また、当該粒子は含水状態のゲル粒子を用いることが好ましい。含水状態のゲル粒子を用いることにより、弾性変形性が向上し、また斑点模様を構成する粒子径の大きなゲル粒子であっても、前記組水性成物中において沈降しにくく、良好に分散するため、筆記後又は塗布後の乾燥に伴いゲル粒子がやせて平滑な筆記線又は塗膜を斑模様として形成することができる。
【００１７】
本粒子は、本色材組成物全量に対して０．１〜５０重量％が好ましく、１〜３０重量％含有することがさらに好ましい。本粒子を前記組成物全量に対して５０重量％を越えて含有すると、配合量が多すぎるため、ペン先や流出孔等から流出し難くなる。一方、本粒子を前記組成物全量に対して０．１重量％未満であれば、配合量が少なすぎるため視認し難いため、斑点模様を筆記線や塗膜に形成することが困難となる。
【００１８】
また本発明で用いる粒子は、弾性変形可能な粒子であれば特にその粒子径は限定されない。例えば直径５０μｍ以上、好ましくは１００μｍ以上、より好ましくは２００μｍ以上であれば差し支えなく、色材組成物の流出路流出路における最小の間隙より大きな寸法の直径を有する弾性変形可能な粒子が好ましい。かかる粒子を採用することにより、より明瞭な斑点模様を持つ筆記線又は塗膜を形成することが可能となる。当該粒子径の上限値も特に限定されないが、色材組成物の流出路を持つボールペン等の筆記具や化粧塗布具等の塗布具の流出路との関係などから例えば１０００μｍ以下の粒子が好ましい。
なお、直径５０μm未満の粒子では斑点模様を形成し難い。直径１０００μｍ以上の粒子ではペン先等から流出し難くなる。なお、直径５０μm未満の粒子であっても、直径５０μm〜１０００μｍの範囲内の粒子とともに含有する場合は、本発明のインキ組成物として適用できるものである。２００μｍ〜１０００μｍの範囲内の直径を有する粒子が斑点模様を筆記線や塗膜などに形成する上で好ましい。なお、これらの範囲の直径を有する粒子は、メッシュなどで分級することができる。
【００１９】
前記粒子を着色することが好ましい。着色するには例えば着色剤をゲル形成原料に配合し、ゲル化後、前記所定の粒径に粉砕して得られる。着色剤としては、後述の下地用着色剤を用いるなど特に限定されないが、他に例えば蛍光着色剤などを用いることも可能である。
また、色の異なる複数の着色剤を用いた粒子を作成し、複数色の粒子を前記組成物中に用いることもできる。この場合、異なる複数色の斑点が散りばめられた斑点模様の筆記線等を形成することができる。
好ましいゲル粒子としては、着色剤を含有する含水状態のゲル粒子であり、より好ましいゲル粒子としては、着色剤、分散剤（顔料分散剤）及び水を含むゲル粒子である。またゲル粒子にはエチレングリコール等の水溶性有機溶剤や水酸化ナトリウム等のアルカリ成分を配合することができる。
【００２０】
＜バインダー成分＞
本発明は前記粒子を分散させ筆記線に定着させるために合成樹脂エマルションを用いることができる。合成樹脂エマルションは、前記色材組成物中に同組成物全量に対して固形分で３０〜７０％含有することが好ましい。合成樹脂エマルションとしては、アクリル系樹脂エマルション、スチレンアクリル系樹脂エマルション、アルキッド系樹脂エマルション、ウレタン系樹脂エマルションなどを例示することができる。
【００２１】
具体的には、前記アクリル系樹脂エマルションとしては、商品名「ニカゾールＦＸ１３８Ｙ」（日本カーバイト社製）、商品名「ニカゾールＲＸ２４２Ａ」（日本カーバイト社製）、商品名「モビニールＬＤＭ７５２０」（クラリアントポリマー社製）を例示することができる。また、スチレンアクリル系樹脂エマルションとしては、商品名「ボンコートＮＳＴ１００」（大日本インキ社製）、商品名「モビニール９７２」（クラリアントポリマー社製）を例示することができる。アルキッド系樹脂エマルションとしては商品名「ウォーターゾルＣＤ５２０」（大日本インキ社製）、ウレタン系樹脂エマルションとしては商品名「スーパーフレックス５００」（第一工業製薬社製）等を各例示することができる。
特に、アクリル系エマルション、スチレンアクリル系エマルションを好適に用いることができる。なお、２種以上のエマルションを混合して用いることもできる。
【００２２】
前記樹脂エマルションの含有量は、色材組成物全量に対して同組成物中に固形分で３０〜７０重量％が好ましく、固形分で３５〜５５重量％がさらに好ましい。前記樹脂エマルションが固形分で３０重量％未満であると、筆記線(筆跡)や塗膜に対する前記粒子の定着性が低下する。前記樹脂エマルションが固形分で７０重量％を超えると、樹脂粒子が過剰に存在するため、色材組成物の経時安定性が低下する。
【００２３】
また、本発明では前記粒子を分散させ筆記線に定着させるために水溶性樹脂を単独で又は前記合成樹脂エマルションと共に用いることができる。水溶性樹脂としては、例えばカルボキシメチルセルロース、ヒドロキシメチルセルロース、メチルセルロース等のセルロース系樹脂、アクリル系、スチレンアクリル系等の樹脂（共重合体を含む）、ポリビニルアルコール、ポリビニルピロリドン等のビニル系樹脂、アラビアガム、デキストリン等を挙げることができる。
【００２４】
前記水溶性樹脂の含有量は、色材組成物全量に対して同組成物中に固形分で０．１〜５０重量％が好ましく、固形分で０．５〜３０重量％がさらに好ましい。前記水溶性樹脂が固形分で３０重量％未満であると、筆記線(筆跡)や塗膜に対する前記粒子の定着性が低下する。前記樹脂エマルションが固形分で７０重量％を超えると、樹脂粒子が過剰に存在するため、色材組成物の経時安定性が低下する。
【００２５】
＜粘度調整剤＞
本発明には、色材組成物（インキ組成物）の粘度を調整するために粘度調整剤を用いることが好ましい。例えばウェランガム、ラムザンガム、アルカガム、キサンタンガム等の多糖類を粘度調整剤（増粘剤）として用いることができる。多糖類としてはアルカガムが好ましい。
【００２６】
上記多糖類の含有量は、色材組成物全量に対して０．０５〜０．５重量％が好ましく、０．１〜０．５重量％がさらに好ましい。上記多糖類が色材組成物全量に対して０．０５重量％未満の場合、前記粒子の分散性が悪化する。上記多糖類が色材組成物全量に対して０．５重量％を超える場合は、色材組成物が高粘度となりペン先等の流出路から流出し難くなる。
【００２７】
また、本発明では、多糖類以外の粘度調整剤として、例えばポリアクリル酸、架橋型ポリアクリル酸等のポリアクリル酸系や、カルボキシメチルセルロース、ヒドロキシメチルロース、メチルセルロース等のセルロース系を用いることができる。特に、架橋型ポリアクリル酸が好ましい。
【００２８】
上記ポリアクリル酸系、セルロース系等の粘度調整剤の含有量は、色材組成物全量に対して０．０５〜５重量％が好ましく、０．１〜５重量％がさらに好ましい。上記ポリアクリル酸系、セルロース系等の粘度調整剤が色材組成物全量に対して０．０５重量％未満の場合、前記粒子の分散性が悪化する。上記ポリアクリル酸系、セルロース系等の粘度調整剤が色材組成物全量に対して５重量％を超える場合は、色材組成物が高粘度となりペン先等の流出路から流出し難くなる。
【００２９】
本発明の好ましい色材組成物としては、
色材組成物全量に対して、
ａ）直径５０〜１０００μｍの寒天からなる粒子              １〜５０重量％
ｂ）アクリル系又はスチレンアクリル系合成樹脂エマルション（固形分）
３０〜７０重量％
ｃ）多糖類                                              ０．０５〜０．５重量％
を含有する色材組成物が採用できるものである。
【００３０】
＜水＞
なお、水は、色材組成物を構成する成分の全量に対して残部が含まれる。
【００３１】
＜その他の成分＞
その他、下地色用の着色剤、水溶性有機溶剤、界面活性剤、防腐防黴剤、防錆剤などを用いることができる。
前記着色剤としては、斑点模様の下地色としての着色効果を有することが求められる。例えば、酸性染料、直接染料、塩基性染料などの水溶性染料のほか、カーボンブラック、アニリンブラック、鉄黒、酸化チタン、アルミナのシリカ、タルクなどの無機顔料、アゾ系顔料、ナフトール系顔料、フタロシアニン系顔料、スレン系顔料、キナクリドン系顔料、群青、紺青、アンスラキノン系顔料、ジオキサン系顔料、ジオキサジン系顔料、インジゴ系顔料、チオインジゴ系顔料、ペリノン系顔料、ペリレン系顔料、インドレノン系顔料、アゾメチン系顔料などの有機顔料のほか、アルミニウム粉、ブロンズ粉等などの金属粉顔料、蛍光顔料、パール顔料、光輝性顔料などが挙げられる。また、これらを顔料分散体として用いることもできる。顔料の場合であれば、例えば粒径０．０５〜０．５μmの顔料が好ましい。また本発明ではこれらの着色剤は１種又は２種以上を混合して使用することもできる。また、球状、偏平状、中空等の各種形状のプラスチックピグメント（合成樹脂粒子顔料）などを用いることができる。上記樹脂粉末は顔料・染料で着色して着色樹脂エマルジョンとして使用することができる。
【００３２】
上記光輝性顔料としては、例えば、金属被覆ガラスフレーク顔料、金属被覆無機顔料、金属酸化物被覆無機顔料、アルミニウム粉顔料等の金属粉顔料、金属箔、金属が蒸着されたフィルム、金属蒸着膜（例えば、フィルムに蒸着された金属蒸着層を剥離して得られる金属蒸着膜）などが挙げられる。ここで、金属ガラスフレーク顔料とは、フレーク状ガラスが金属（合金）で被覆された構造からなる顔料として定義される。また、金属被覆無機顔料とは、金属（合金）が被覆された無機顔料を総称するものとして定義される。金属酸化物が被覆された無機顔料（例えば金属酸化物が被覆されたアルミニウム等の金属顔料）も用いることができる。
【００３３】
また、隠蔽性のある酸化チタン、アルキレンビスメラミン誘導体、球状・偏平状等の各種形状のプラスチックピグメント（合成樹脂粒子顔料）など、各種の無機顔料又は有機白色顔料などの隠蔽性顔料を単独又は混合して用いることもできる。
またこれらの着色剤は、前記プラスチックピグメント（合成樹脂粒子顔料）に限らず、水中に分散させた顔料分散体として用いることができる。
【００３４】
水溶性有機溶剤としてはグリセリン、プロピレングリコール、エチレングリコール等を用いることができる。この下地色を構成する着色剤の含有量は、色材組成物全量に対して
０〜２０重量％が好ましく、０〜１０重量％がさらに好ましい。
【００３５】
このインキ等の色材組成物が適用可能な筆記具や塗布具としては特に限定されず、加圧、非加圧のいずれも適用できる。
【００３６】
例えば、色材組成物の流出路を備えた筆記具（塗布具）であって、
上記色材組成物に、５０μｍ〜１０００μｍの範囲であって、前記流出路における最小の間隙より大きな寸法の直径を有する弾性変形可能な粒子が分散状態で含まれている筆記具（塗布具）に適用することができる。
【００３７】
例えば、本発明は、図１に示すように、インキの流出の制御手段としてボール１０がチップ１１内に装填されたペン先１と、インキが収容されたインキ筒を備えた筆記具であって、
前記インキには、弾性変形可能な直径５０〜１０００μｍの粒子が分散状態で含まれており、
前記粒子には、上記ボール１０と上記チップ１１との間の間隙で構成されるインキの流出路１２のうち、その最小の間隙の寸法と同一寸法以上の直径を有する粒子が含まれている筆記具に適用することができる。なお、図１において、１３はバネであり、バネの先端部１３１が前記ボールに対して弾発力を付勢しており、インキの流出を制御している。
【００３８】
また本発明は、例えば、図２に示すように、インキの流出の制御手段としてピン状物２０が流出パイプ２１内に内装されており、ピン状物２０と流出パイプ２１の内壁との間隙で構成された流出路２２を持つ筆記具であって、
前記インキには、弾性変形可能な直径５０〜１０００μｍの粒子が分散状態で含まれており、
前記粒子には、上記間隙で構成されるインキの流出路２２のうち、その最小の間隙の寸法と同一寸法以上の直径を有する粒子が含まれる筆記具に適用することができる。
【００３９】
また本発明は、たとえば、図３〜１０に示す化粧料の流出ヘッド部３０、４０、５０、６０を先端部に持つチューブ状容器で構成された化粧塗布具に適用することができる。
すなわち、化粧料組成物が充填され、先端部の流出ヘッド部３０、４０、５０、６０に化粧料組成物の流出路３１、４１、５１、６１を構成する流出孔３２、４２、５２、６２を備えたチューブ状容器で構成された化粧塗布具であって、
前記化粧料組成物には、弾性変形可能な直径５０〜１０００μｍの範囲内の粒子が分散状態で含まれており、
前記粒子には、上記流出路３１、４１、５１、６１の最小の間隙の寸法と同一寸法以上の直径を有する粒子が含まれている化粧塗布具に適用することができる。
【実施例】
【００４０】
表１に示す組成にて、インキを調製した。
まず、粒子（着色粒子）作製工程として、イオン交換水を加温（１００℃）し、次にゲル形成原料（寒天）を投入し、攪拌溶解させた。次に、７０℃に徐冷し、後述する着色剤（水性顔料分散体）を投入した後、攪拌した。続いて、これを水冷し、寒天を固まらせた後、ディゾルバーなどで必要粒子径に粉砕した。なお、この際に必要に応じてろ過等により粗大粒子を取り除く工程を加えても良い。
【００４１】
その後、表１に示すその他のインキ配合原料を全て投入し、ディゾルバーで３０分間攪拌することにより所望のインキを得た。なお、比較例は、着色樹脂粒子を含む表１に示すインキ配合原料を全て投入し、ディゾルバーで３０分間攪拌することにより所望のインキを得た。
【００４２】
【表１】
2006143992.tif 000002
【００４３】
なお、表１中、組成の各成分の説明は次の通りである。
（１）弾性変形可能なゲル粒子（着色ゲル粒子）
ａ）粒子のゲル形成原料：寒天（商品名「イナカンテンＺＲ」、伊那食品工業社製）
ｂ）ゲル形成原料に配合される着色剤：次の水性顔料分散体である。
顔料                １０重量％
分散樹脂              １重量％
水酸化ナトリウム      ０．２重量％  
エチレングリコール  １０重量％
イオン交換水            残部  
上記水性顔料分散体は、スチレンアクリル樹脂を水酸化ナトリウム、イオン交換水とともに加熱溶解し、エチレングリコール、顔料を加え、ビーズミルで３０分間分散させ、顔料１０重量％の分散体として得た。
上記分散樹脂はスチレン−アクリル酸系樹脂であり、商品名「ジョンクリル６８３」（ジョンソンポリマー社製、酸価：１６０、分子量：８，０００）を用いた。
上記顔料としては、表１中、黒色ゲル粒子には商品名「モナーク８００」（キャボット社製、カーボンブラック）、青色ゲル粒子には商品名「ファストゲンブルーＴＧＲ」（大日本インキ社製、フタロシアニンブルー顔料）、赤色ゲル粒子には商品名「シムラファーストレッド４１２７」（大日本インキ社製、アゾ顔料）、光輝色ゲル粒子には商品名「メタシャイン２０４０ＰＳ−ＣＧ」（東洋アルミ社製、銀コートされたガラスフレーク）、赤色蛍光ゲル粒子には商品名「ＮＫＷ６００７」（日本蛍光社製、赤色蛍光着色剤）を用いた。
【００４４】
（２）着色樹脂粒子及び着色剤
表１中、赤色樹脂粒子は商品名「ラブコロール  ０４０（Ｆ）Ｒｅｄ」（大日精化社製、平均粒子径  ２０μｍ）、青色樹脂粒子は商品名「ラブコロール  ０６０（Ｆ）Ｂｌｕｅ」（大日精化社製、平均粒子径  ２０μｍ）、黒色樹脂粒子は商品名「ラブコロール  ０２０（ＩＷＡ）Ｂｌａｃｋ」（大日精化社製、平均粒子径  ３８μｍ）である。
また表１中、商品名「ＮＫＷ６２３８」は日本蛍光社製、青色蛍光着色剤である。
【００４５】
（３）バインダー成分
表１中、商品名「モビニールＬＤＭ７５２０」はクラリアントポリマー社製、アクリル系樹脂エマルション、固形分５０．０％、商品名「ニカゾールＲＸ２４２Ａ」は日本カーバイト社製、アクリル系樹脂エマルション、固形分６０．０％、商品名「ボンコートＮＳＴ１００」は大日本インキ社製、スチレンアクリル系樹脂エマルション、固形分６８％である。また、表１中、アラビアガム、デキストリンはいずれも水溶性樹脂である。
【００４６】
表１中、アルカシーガムは多糖類、伯東社製である。
【００４７】
その他添加剤として、商品名「コートサイドＨ」は武田薬品社製、防カビ剤、商品名「プロクセルＸＬ−２」はアビシア社製、防腐剤である。商品名「ラベリンＦＣ−Ｐ」は第一工業製薬製、界面活性剤（ナフタレンスルホン酸ホルマリン縮合物）である。
【００４８】
次に、表１により得られた実施例及び比較例の各インキをサクラクレパス製、水性ボールペン、商品名「ボールサイン」に充填し、下記の評価をした。なお、ボールペンは、ボールペンチップのボール室に回転可能に保持されたボールを有するペン先と、インキが収容されたインキ筒を備えたボールペンであって、実施例の粒子、比較例の着色樹脂粒子には、表１に示す様に、上記ボールと上記ボールペンチップとの間の隙間と同一寸法以上の直径を有する粒子が含まれている。このボールペンのインキ筒（収容管）の材質はポリプロピレン、ペン先のチップの材質はステンレス、ボールは超鋼、ボール径は１ｍｍである。
【００４９】
＜評価＞
上記のペンでコピー用紙に筆記し、筆記線の状態を目視で評価した。その結果を表１に示す。
＜評価基準＞
筆跡の斑点            ○：充分な斑点が観察される
×：上記に比べて斑点感が劣る
【００５０】
実施例のインキ組成物は、ボールペンとしての筆記性が良好であり、表１に示す様に、斑点模様の筆記線(筆跡)を形成することができる。
【産業上の利用可能性】
【００５１】
本発明の色材組成物は、筆記具、塗布具としての筆記性が良好であって、斑点模様の筆記線(筆跡)や塗膜を形成することができることから、斑点模様を形成できるボールペンなどの筆記具や、描画材や化粧料が充填された例えばチューブ状の塗布具として好適に用いることができるものである。
【図面の簡単な説明】
【００５２】
【図１】本発明の色材組成物が適用される筆記具の一例を示すボールペン先端部の概略断面図である。
【図２】同筆記具の他例を示すピン型先端部の概略断面図である。
【図３】本発明の色材組成物が適用されるチューブ状容器の先端ヘッド部の一例を示す概略斜視図である。
【図４】同概略断面図である。
【図５】本発明の色材組成物が適用されるチューブ状容器の先端ヘッド部の他例を示す概略斜視図である。
【図６】同概略断面図である。
【図７】本発明の色材組成物が適用されるチューブ状容器の先端ヘッド部の更なる他例を示す概略斜視図である。
【図８】同概略断面図である。
【図９】本発明の色材組成物が適用されるチューブ状容器の先端ヘッド部の更なる他例を示す概略斜視図である。
【図１０】同概略断面図である。
【符号の説明】
【００５３】
１    ペン先
１０    ボール
１１    チップ
１２    流出路
１３    バネ
２０    ピン状物
２１    流出パイプ
２２    流出路
【図１】
2006143992.tif 000003
【図２】
2006143992.tif 000004
【図３】
2006143992.tif 000005
【図４】
2006143992.tif 000006
【図５】
2006143992.tif 000007
【図６】
2006143992.tif 000008
【図７】
2006143992.tif 000009
【図８】
2006143992.tif 000010
【図９】
2006143992.tif 000011
【図１０】
2006143992.tif 000012